(57)【要約】      （修正有）【課題】妊産婦が臀部に巻きつけて装着するための骨盤ベルトを提供する。【解決手段】本考案の骨盤ベルトは、装着時に下腹部に当たる中央部（１０）と、第一端部（２０３）を有し、前記第一端部が前記中央部の一端（１０１１）に結合される第一巻き付け部（２０）と、第二端部（３０３）を有し、前記第二端部が前記中央部の他端（１０１２）に結合される第二巻き付け部（３０）とを備え、前記中央部は、上辺部が下方に凹状に湾曲する上カーブ形成部（１１）を有する。【選択図】図１
0003222516.tif 000002
【実用新案登録請求の範囲】
【請求項１】
妊産婦が臀部に巻き付けて装着し、妊娠または出産で緩んだ骨盤の下部を締めて固定する骨盤ベルト（１）において、
装着時に下腹部に当たる中央部（１０）と、
第一端部（２０３）を有し、前記第一端部が前記中央部の一端（１０１１）に結合される第一巻き付け部（２０）と、
第二端部（３０３）を有し、前記第二端部が前記中央部の他端（１０１２）に結合される第二巻き付け部（３０）とを備え、
前記中央部は、上辺部が下方に凹状に湾曲する上カーブ形成部（１１）を有する骨盤ベルト。
【請求項２】
前記第一巻き付け部（２０）は、自由端側（Ｄ２１）に第一幅細部（２１）を有し、前記中央部の前記一端（１０１１）との第一結合部（Ｊ１）から前記第一幅細部の方向にいくにしたがい幅細になって前記第一幅細部に接続し、
前記第二巻き付け部（３０）は、自由端側（Ｄ３１）に第二幅細部（３１）を有し、前記中央部の前記他端（１０１２）との第二結合部（Ｊ２）から前記第二幅細部の方向にいくにしたがい幅細になって前記第二幅細部に接続する請求項１に記載の骨盤ベルト。
【請求項３】
前記中央部（１０）は、下辺部が下方に凸状に湾曲する下カーブ形成部（１２）を有する請求項１または２に記載の骨盤ベルト。
【請求項４】
前記第一幅細部（２１）の第一上辺（２０１）と前記中央部（１０）の一端側上辺（１０２１）、および前記第二幅細部（３１）の第二下辺（３０２）と前記中央部の他端側下辺（１０３２）は、それぞれ同一線上に位置しており、または、
前記第一幅細部の第一下辺（２０２）と前記中央部の一端側下辺（１０３１）、および前記第二幅細部の第二上辺（３０１）と前記中央部の他端側上辺（１０２２）は、それぞれ同一線上に位置している請求項１から３のいずれか一項に記載の骨盤ベルト。
【請求項５】
前記第一巻き付け部（２０）の前記第一幅細部（２１）の自由端側（Ｄ２１）における長手方向（Ｄ４０）に延びる第一中心線（ＩＶ）は、前記第二巻き付け部（３０）の前記第二幅細部（３１）の自由端側（Ｄ３１）における長手方向に延びる第二中心線（Ｖ）に対して変位している請求項１から４のいずれか一項に記載の骨盤ベルト。
【請求項６】
前記第一巻き付け部（２０）の形状と、前記第二巻き付け部（３０）の形状とは、互いに上下左右に両軸反転させると一致する形状であって、互いに対をなす請求項１から５のいずれか一項に記載の骨盤ベルト。
【請求項７】
全長（Ｗ）にわたって、長手方向（Ｄ４０）に伸縮性を有している請求項１から６のいずれか一項に記載の骨盤ベルト。
【請求項８】
請求項１から７のいずれか一項に記載の骨盤ベルト（１）が装着された時に身体と接しない面を第一面（Ｆ１）とすると、
前記中央部（１０）、または前記第一巻き付け部（２０）、または前記第二巻き付け部（３０）の各前記第一面は、起毛加工されている骨盤ベルト。
【請求項９】
請求項１から８のいずれか一項に記載の骨盤ベルト（１）が装着された時に身体と接する面を第二面（Ｆ２）とすると、
前記第一巻き付け部（２０）は、自由端側（Ｄ２１）の第一自由端部（２２）の前記第二面に第一フック面（２２１）を有し、
前記第二巻き付け部（３０）は、自由端側（Ｄ３１）の第二自由端部（３２）の前記第二面に第二フック面（３２１）を有する骨盤ベルト。
【請求項１０】
請求項１から９のいずれか一項に記載の骨盤ベルト（１）が装着された時に身体と接しない面を第一面（Ｆ１）とすると、
前記中央部（１０）と前記第一巻き付け部（２０）との第一結合部（Ｊ１）は、前記第一面に第一補強部材（４１）を有し、または、前記中央部と前記第二巻き付け部（３０）との第二結合部（Ｊ２）は、前記第一面に第二補強部材（４２）を有する骨盤ベルト。
【請求項１１】
請求項１から１０のいずれか一項に記載の骨盤ベルト（１）が装着された時に身体と接する面を第二面（Ｆ２）とすると、
前記中央部（１０）と前記第一巻き付け部（２０）との第一結合部（Ｊ１）は、前記第二面に第一滑り止め部材（５１）を有し、または、前記中央部と前記第二巻き付け部（３０）との第二結合部（Ｊ２）は、前記第二面に第二滑り止め部材（５２）を有する骨盤ベルト。
【請求項１２】
外縁部の一部または全部は、縁取りテープ（６０１、６０２）による被覆部（６０）を有することを特徴とする請求項１から１１のいずれか一項に記載の骨盤ベルト。
【請求項１３】
装着者に装着された時に前記装着者の両側の大転子付近に当たる前記第一結合部（Ｊ１）または前記第一結合部近傍ならびに前記第二結合部（Ｊ２）または前記第二結合部の近傍が細幅になっている請求項１から１２のいずれか一項に記載の骨盤ベルト。
【考案の詳細な説明】
【技術分野】
【０００１】
本考案は、妊娠中および出産後の女性が臀部に装着し、緩んだ骨盤を固定するための骨盤ベルトに関するものである。
【背景技術】
【０００２】
妊娠中から出産後の女性は、妊娠によるホルモン分泌、出産時に児が産道を通過することなどで骨盤が緩み、腰痛などの痛みが出たり、歪んだりしやすくなる。
【０００３】
従来の骨盤ベルトは、特許文献１に示すように、装着時に下腹部の左側と右側に重なる部分が幅広にされ、下腹部の前側が幅狭にされ、補強テープを三か所に固定したものである。
【０００４】
しかし、特許文献１の骨盤ベルトは、前側の中央位置に設置された補強テープ部が妊産婦の下腹部や帝王切開術の下腹壁横切開創に当たって負担となる。
【先行技術文献】
【特許文献】
【０００５】
【特許文献１】実用新案登録第３１３５２３６号
【考案の概要】
【考案が解決しようとする課題】
【０００６】
本考案は、装着する妊産婦（出産後の女性を含む）の身体的負担を解消する骨盤ベルトを提供することを目的とする。
【課題を解決するための手段】
【０００７】
本考案は、妊産婦が臀部に巻き付けて装着し、妊娠または出産で緩んだ骨盤の下部を締めて固定する骨盤ベルト（１）であって、
装着時に下腹部に当たる中央部（１０）と、
第一端部（２０３）を有し、第一端部が中央部の一端（１０１１）に結合される第一巻き付け部（２０）と、
第二端部（３０３）を有し、第二端部が中央部の他端（１０１２）に結合される第二巻き付け部（３０）とを備える。
中央部は、上辺部が下方に凹状に湾曲する上カーブ形成部（１１）を有する。
【０００８】
本考案は、妊産婦の緩んだ骨盤下部を締めて固定することで骨盤の靭帯が出産後に回復するまで、骨盤の歪みの発生を抑止する骨盤ベルトであって、
妊産婦の下腹部、帝王切開術の下腹壁横切開創を圧迫して不快感を与えることがなく、妊産婦が長時間装着しても位置がずれにくく快適に使用でき、
装着しても大転子付近を被覆しないため、装着した妊産婦の歩行を阻害せず、
また、産前産後の長期にわたり変化し続ける妊産婦の下腹部の形状・サイズや、各妊産婦の身体サイズの違いに１つのサイズで対応できる。
【図面の簡単な説明】
【０００９】
【図１】本考案の第一実施形態の骨盤ベルトの正面図。（ａ）に部品と位置を、（ｂ）に方向、断面線、中心線を示す。
【図２】本考案の第一実施形態の骨盤ベルトの背面図。
【図３】本考案の第一実施形態の骨盤ベルトの上面図。
【図４】本考案の第一実施形態の骨盤ベルトの下面図。
【図５】本考案の第一実施形態の骨盤ベルトを構成するベルト生地の裁断直後の状態を示す正面図。
【図６】図１のＩ−Ｉ線断面図（ａ）、ＩＩ−ＩＩ線断面図（ｂ）、ＩＩＩ−ＩＩＩ線断面図（ｃ）。
【図７】本考案の第一実施形態の骨盤ベルトの装着状態を示す斜視図（ａ）、背面図（ｂ）。
【図８】本考案の第一実施形態の骨盤ベルトの装着方法を示す図１。
【図９】本考案の第一実施形態の骨盤ベルトの装着方法を示す図２。
【図１０】本考案の第一実施形態の骨盤ベルトの使用可能時期を示す図。
【図１１】本考案の第一実施形態の骨盤ベルトの効果を示す図１。
【図１２】本考案の第一実施形態の骨盤ベルトの効果を示す図２。
【図１３】本考案の第一実施形態の骨盤ベルトの効果を示す図３。
【図１４】本考案の第一実施形態の骨盤ベルトの製造工程（第二実施形態）を示すブロック図。
【図１５】本考案の第二実施形態の骨盤ベルトの貼り合わせ工程を示す模式図。
【考案を実施するための形態】
【００１０】
以下、本考案の実施形態を図面に基づいて説明する。
【００１１】
（第一実施形態）
本考案の第一実施形態を図１から４に基づいて説明する。
図１に示すように、本考案の第一実施形態の骨盤ベルトは中央部１０、第一巻き付け部２０、第二巻き付け部３０からなり、互いに結合され、一体化されている。
結合前の中央部１０、第一巻き付け部２０、第二巻き付け部３０を図５に示す。
【００１２】
図６および図１５に示すように、本考案の第一実施形態の骨盤ベルトのベルト生地７０は、第一素材７１と第二素材７２との間にホットメルト樹脂７０１を挟み、熱圧着により一体化した二層構造である。
【００１３】
図３、４、６に示すように、骨盤ベルトが装着された時に身体と接する面を第二面Ｆ２、接しない面を第一面Ｆ１とする。
第一素材７１は伸縮性パイル織物である。この織物は弾性糸を用いており、少なくとも左右方向または長手方向に伸縮性ないし弾性がある。この織物の表側は一面に無数のループ状のループパイルまたはアンカットパイルを有する（第一素材７１の第一面Ｆ１）。
【００１４】
第二素材７２はメリヤス生地である。少なくとも左右方向または長手方向に伸縮性または弾性を有する。
【００１５】
上記のように、中央部１０、第一巻き付け部２０、第二巻き付け部３０の表側は、面ファスナのループ面として機能するように起毛加工されている（第一素材７１の第一面Ｆ１）。
図１から４、および図６（ｃ）に示すように、これに組み合わせるための面ファスナのフック面（第一フック面２２１および第二フック面３２１）は、第一巻き付け部２０の第一自由端部２２と第二巻き付け部３０の第二自由端部３２の各裏側（第二面Ｆ２）にそれぞれ設けられている。
これにより、第一フック面２２１および第二フック面３２１は、起毛加工された第一素材７１の第一面Ｆ１に着脱する。
【００１６】
図２から４、および図６（ｂ）に示すように、第一巻き付け部２０の第一端部２０３と中央部１０の一端１０１１とが結合された第一結合部Ｊ１、および中央部１０の他端１０１２と第二巻き付け部３０の第二端部３０３とが結合された第二結合部Ｊ２の各表側（第一面Ｆ１）には、第一補強部材４１および第二補強部４２がそれぞれ設けられている。
また、第一結合部Ｊ１および第二結合部Ｊ２の各裏側（第二面Ｆ２）には、第一滑り止め部材５１および第二滑り止め部材５２がそれぞれ設けられている。
【００１７】
図１、図６に示すように、本考案の第一実施形態では、外縁部の一部または全部が、縁取りテープで固定されている（被覆部６０、縁取りテープ６０１、６０２）。
【００１８】
図７に本考案の第一実施形態の骨盤ベルトの装着状態を示す図を、図８および図９に装着方法を、図８に示す巻き付け工程と図９に示す仕上げ工程に分けて示す。本考案の第一実施形態の骨盤ベルトは、以下のように巻き付け工程と仕上げ工程を行うと、最も安定した装着状態となる。但し、巻き付け工程のみを行った場合でも、使用上の不都合は生じない。
【００１９】
（装着方法１）
（巻き付け工程）
（１）足を揃え、中央部１０の最下部１３を恥骨結合Ｂ３に当て、第一巻き付け部２０および第二巻き付け部３０を装着者の前から後ろに回す（図８（ａ））。
（２）使用者の腰部右側から後ろに回された第一巻き付け部２０が第二巻き付け部３０よりも上側に来るように、また、使用者の左側から後ろに回された第二巻き付け部３０が第一巻き付け部２０よりも下側に来るように、背面で交差させる（図８（ｂ））。
（３）第一巻き付け部２０の細く形成された部分（第一幅狭部２１）を左手で、第二巻き付け部３０の細く形成された部分（第二幅狭部３１）を右手で保持し、締め強さを調節しながら、左右に引っ張る（図８（ｃ））。
（４）両手に持った第一幅狭部２１、第二幅狭部３１の各裏側（第二面Ｆ２）にある第一フック面２２１および第二フック面３２１を、骨盤ベルトの前側の起毛加工された表面（第一面Ｆ１）の任意の位置に固定する（図８（ｄ））。
【００２０】
（装着方法２）
（仕上げ工程）
（５）使用者背面の下側に位置する第二巻き付け部３０を両手で持つ。
（６）第二巻き付け部３０を下方向に引き下げ、臀部を安定的に包むように位置を整える（以上、図９（ａ））。なお、図９（ｂ）と（ｃ）に仕上げ工程前、仕上げ工程後の状態を示す。
【００２１】
（第一実施形態の効果）
図１１に示すように、本考案の第一実施形態の骨盤ベルトは、装着時に使用者の下腹部に当たる中央部１０の上辺が下方に凹状に湾曲し、下辺が下方に凸状に湾曲している。これにより、カーブがより大きく滑らかになり、妊産婦の下腹部や帝王切開術の下腹壁横切開創を圧迫しない。
また、図６に示すように、従来品の三層構造よりも優れた長手方向への伸縮性ないし弾性を有する二層構造となっており、身体的負担の大きい妊産婦の手でも容易に伸長可能である。
さらに、図３、４に示すように、中央部１０、第一巻き付け部２０、第二巻き付け部３０が結合され、第一補強部材４１および第二補強部４２で補強され、第一滑り止め部材５１および第二滑り止め部材５２を備えることで、優れた伸縮性を有する生地が、第一結合部Ｊ１および第二結合部Ｊ２の二点で安定に固定され、伸縮性と骨盤ベルトの強度を両立させる。
またさらに、図１２（ａ）に示すように、使用者の両脚の付け根位置から両側に位置しつつも、腰部の大転子付近Ｂ１、Ｂ２の上部は覆わないように細くなっており、使用者の歩行を妨げることがない。なお、本考案との比較例を図１２（ｂ）に示す。
【００２２】
図１に示すように、本考案の第一実施形態の骨盤ベルトは、第一巻き付け部２０が第一結合部Ｊ１の上方の位置から自由端側Ｄ２１に延び、第二巻き付け部３０が第二結合部Ｊ２の下方の位置から自由端側Ｄ３１に延び、第一巻き付け部２０と第二巻き付け部３０とは互いに非対称になるように形成されている。
この非対称性が、装着時に仕上げ工程を行うことを可能にしており、巻き付け工程のみを行った時よりも安定した装着状態とすることに寄与する。
【００２３】
図１３に、本考案の第一実施形態の骨盤ベルトが、様々な腹部サイズに対応する様子を示す。
本考案の第一実施形態の骨盤ベルトは、骨盤ベルト表面（第１面Ｆ１）のどこでも面ファスナのループ面として機能すること、また全長にわたって長手方向に伸縮性を有すること、などの特長により、１つのサイズでほとんどの妊産婦の身体サイズ、あるいは刻々と変化する妊産婦の腹部の大きさや状態に柔軟に対応することができる。
これにより、サイズ展開も最小限でよく、経済的である。
【００２４】
本考案の第一実施形態の骨盤ベルトは、縁取りテープを取り付けてベルト生地の端部を覆って保護することにより、耐久性が向上し、また、生地端部の角部の身体表面への干渉が抑えられ、擦り傷などの発生を防止できる。
【００２５】
本考案の第一実施形態の骨盤ベルトの、使用可能時期を図１０に示す。
上記の特長を有することにより、本考案の第一実施形態の骨盤ベルトの使用可能時期Ｔ１１およびＴ１２は、従来の骨盤ベルトのように、産前Ｔ２１、あるいは産後Ｔ２３、等々に限定されることがなく、出産時Ｔ２２のごく短期間を除き、産前産後の長期にわたって使用可能である。
【００２６】
（第二実施形態）
本考案の第一実施形態の骨盤ベルトの製造方法の一例を以下に示す。図１４に製造方法のブロック図を、また図１５に貼り合わせ工程の模式図を示す。
本考案の製造方法は、貼り合わせ工程Ｐ１と、裁断工程Ｐ２と、結合工程Ｐ３と、取付工程Ｐ４と、縁取り工程Ｐ５を備える。これらの工程が完了後、最終工程Ｐ６を行う。
【００２７】
図１５に示すように、貼り合わせ工程Ｐ１では、表面素材７１と裏面素材７２にホットメルト樹脂７０１を挟んだ状態で熱圧着により貼り合わされ、生地が形成される。
【００２８】
裁断工程Ｐ２では、中央部１０、第一巻き付け部２０、第二巻き付け部３０がそれぞれベルト生地７０（図１５参照）から規定の形状に裁断され、切り離される（図５参照）。
【００２９】
結合工程Ｐ３では、中央部１０の一端１０１１と第一巻き付け部２０の第一端部２０３、中央部１０の他端１０１２と第二巻き付け部３０の第二端部３０３がそれぞれ結合されて第一結合部Ｊ１、第二結合部Ｊ２をそれぞれ形成する。
【００３０】
取付工程Ｐ４では、第一結合部Ｊ１および第二結合部Ｊ２の各表側（第一面Ｆ１）に第一補強部材４１および第二補強部４２が、各裏側（第二面Ｆ２）に第一滑り止め部材５１および第二滑り止め部材５２が、それぞれ取り付けられ、第一巻き付け部２０の第一自由端部２２および第二巻き付け部３０の第二自由端部３２に第一フック面２２１、第二フック面３２１が、それぞれ結合される（図２から４、図６（ｃ）参照）。
【００３１】
縁取り工程Ｐ５は、取付工程Ｐ４までの工程の完了後に実施される。本考案の製造方法の実施形態では、縁取りテープ６０１、６０２が、骨盤ベルト１の上下の外縁部を、全周にわたって被覆するように結合されている（縁取り部の断面図は図６参照、外縁部を全周にわたって被覆する様子は図１、２参照）。
【００３２】
最終工程Ｐ６では、完成した骨盤ベルト１について、検針、検品、および包装などの作業を行う。
【００３３】
（素材および方法）
なお、第一実施形態において、第一巻き付け部の第一端部および中央部の一端、ならびに中央部の他端および第二巻き付け部の第二端部の結合方法は、縫製以外の方法を用いてもよい。ベルト生地７０は、適宜通気性を高め、また柔軟性を向上させるため、一面に一定の間隔でパンチング加工が施された通気孔を有していてもよい。
第一実施形態では、第一素材７１の伸縮パイル織物として、ナイロンを主成分とし、ポリウレタンを含む樹脂繊維織物を用い、また第二素材７２のメリヤス生地として、ナイロンを主成分とし、ポリウレタンを含む樹脂繊維の織物ないし編物を用いているが、素材や素材の配合比は、必要に応じて変更してもよい。
第一実施形態では、第一補強部材４１および第二補強部４２の素材として、ナイロン製の綾織テープが、第一滑り止め部材５１および第二滑り止め部材５２の素材として、ポリエステルを主成分とするポリウレタンを含む樹脂素材がそれぞれ用いられているが、素材や素材の配合比、およびその形状は、必要に応じて変更してもよい。
さらに、第一実施形態では、第一補強部材４１、第二補強部材４２、第一滑り止め部材５１、第二滑り止め部材５２、第一フック面２２１、第二フック面３２１、縁取りテープ６０１、６０２が、それぞれ縫製により結合されているが、製造コストなどを勘案し、適宜異なる結合方法を用いてもよい。
【００３４】
（適用範囲）
上記の実施形態の骨盤ベルトは、妊産婦が装着するためのものであるが、他の実施形態では、妊産婦以外の使用者に供されてもよい。上記の骨盤ベルトは、体型または性別を問わず誰でも装着できるため、腰痛防止または緩和のためのサポータとして、スポーツ、運送業など、腰部に負担が生じる場面に幅広く適用可能である。
以上、本考案は上記の実施形態になんら限定されるものではなく、本考案の趣旨を逸脱しない範囲において、種々の形態で実施可能である。
【符号の説明】
【００３５】
１              骨盤ベルト
２              比較例
１０            中央部
１０１１        一端
１０１２        他端
１０２１        一端側上辺
１０２２        他端側上辺
１０３１        一端側下辺
１０３２        他端側下辺
１１            上カーブ形成部
１２            下カーブ形成部
１３            下カーブ最下部
２０            第一巻き付け部
２０１          第一上辺
２０２          第一下辺
２０３          第一端部
２１            第一幅細部
２２            第一自由端部
２２１          第一フック面
３０            第二巻き付け部
３０１          第二上辺
３０２          第二下辺
３０３          第二端部
３１            第二幅細部
３２            第二自由端部
３２１          第二フック面
４１            第一補強部材
４２            第二補強部材
５１            第一滑り止め部材
５２            第二滑り止め部材
６０            被覆部
６０１、６０２  縁取りテープ
７０            ベルト生地
７０１〜７０４  ホットメルト樹脂
７１            第一素材
７２            第二素材
ＩＶ            第一中心線
Ｖ              第二中心線
Ｂ１、Ｂ２      大転子付近
Ｂ３            恥骨結合
Ｂ４            帝王切開術の下腹壁横切開創
Ｄ１１          一端側
Ｄ１２          他端側
Ｄ２１、Ｄ３１  自由端側
Ｄ２２、Ｄ３２  非自由端側
Ｄ４０          長手方向
Ｄ５１、Ｄ５２  引っ張り方向
Ｄ６１、Ｄ６２  後ろから前への巻き付け方向
Ｄ７１、Ｄ７２  引き下げ方向
Ｄ８１、Ｄ８２  前から後ろへの巻き付け方向
Ｆ１            第一面
Ｆ２            第二面
Ｊ１            第一結合部
Ｊ２            第二結合部
Ｐ１            貼り合わせ工程
Ｐ２            裁断工程
Ｐ３            結合工程
Ｐ４            取付工程
Ｐ５            縁取り工程
Ｐ６            最終工程
Ｔ１１、Ｔ１２  使用可能時期
Ｔ２１          産前
Ｔ２２          出産時
Ｔ２３          産後
Ｗ              全長
【図１】
0003222516.tif 000003
【図２】
0003222516.tif 000004
【図３】
0003222516.tif 000005
【図４】
0003222516.tif 000006
【図５】
0003222516.tif 000007
【図６】
0003222516.tif 000008
【図７】
0003222516.tif 000009
【図８】
0003222516.tif 000010
【図９】
0003222516.tif 000011
【図１０】
0003222516.tif 000012
【図１１】
0003222516.tif 000013
【図１２】
0003222516.tif 000014
【図１３】
0003222516.tif 000015
【図１４】
0003222516.tif 000016
【図１５】
0003222516.tif 000017
【手続補正書】
【提出日】令和1年6月10日(2019.6.10)
【手続補正１】
【補正対象書類名】実用新案登録請求の範囲
【補正対象項目名】請求項１
【補正方法】変更
【補正の内容】
【請求項１】
妊産婦が臀部に巻き付けて装着し、妊娠または出産で緩んだ骨盤の下部を締めて固定する骨盤ベルト（１）において、
装着時に下腹部に当たる中央部（１０）と、
第一端部（２０３）を有し、前記第一端部が第一結合部（Ｊ１）で前記中央部の一端（１０１１）に結合される第一巻き付け部（２０）と、
第二端部（３０３）を有し、前記第二端部が第二結合部（Ｊ２）で前記中央部の他端（１０１２）に結合される第二巻き付け部（３０）とを備え、
前記中央部は、上辺部が下方に凹状に湾曲する上カーブ形成部（１１）を有する骨盤ベルト。
【手続補正２】
【補正対象書類名】実用新案登録請求の範囲
【補正対象項目名】請求項２
【補正方法】変更
【補正の内容】
【請求項２】
前記中央部（１０）は、下辺部が下方に凸状に湾曲する下カーブ形成部（１２）を有する請求項１に記載の骨盤ベルト。
【手続補正３】
【補正対象書類名】実用新案登録請求の範囲
【補正対象項目名】請求項３
【補正方法】変更
【補正の内容】
【請求項３】
前記第一巻き付け部（２０）は、自由端側（Ｄ２１）に第一幅細部（２１）を有し、前記中央部の前記一端（１０１１）との結合部位である前記第一結合部（Ｊ１）から前記第一幅細部の方向にいくにしたがい幅細になって前記第一幅細部に接続し、
前記第二巻き付け部（３０）は、自由端側（Ｄ３１）に第二幅細部（３１）を有し、前記中央部の前記他端（１０１２）との結合部位である前記第二結合部（Ｊ２）から前記第二幅細部の方向にいくにしたがい幅細になって前記第二幅細部に接続する請求項１または２に記載の骨盤ベルト。
【手続補正４】
【補正対象書類名】実用新案登録請求の範囲
【補正対象項目名】請求項４
【補正方法】変更
【補正の内容】
【請求項４】
前記第一幅細部（２１）の第一上辺（２０１）と前記中央部（１０）の一端側上辺（１０２１）、および前記第二幅細部（３１）の第二下辺（３０２）と前記中央部の他端側下辺（１０３２）は、それぞれ同一線上に位置しており、または、
前記第一幅細部の第一下辺（２０２）と前記中央部の一端側下辺（１０３１）、および前記第二幅細部の第二上辺（３０１）と前記中央部の他端側上辺（１０２２）は、それぞれ同一線上に位置している請求項３に記載の骨盤ベルト。
【手続補正５】
【補正対象書類名】実用新案登録請求の範囲
【補正対象項目名】請求項５
【補正方法】変更
【補正の内容】
【請求項５】
前記第一巻き付け部（２０）の前記第一幅細部（２１）の自由端側（Ｄ２１）における長手方向（Ｄ４０）に延びる第一中心線（ＩＶ）は、前記第二巻き付け部（３０）の前記第二幅細部（３１）の自由端側（Ｄ３１）における長手方向に延びる第二中心線（Ｖ）に対して変位している請求項３または４に記載の骨盤ベルト。
【手続補正６】
【補正対象書類名】実用新案登録請求の範囲
【補正対象項目名】請求項８
【補正方法】変更
【補正の内容】
【請求項８】
請求項１から７のいずれか一項に記載の骨盤ベルト（１）が装着された時に身体と接しない面を第一面（Ｆ１）とすると、
前記中央部（１０）、または前記第一巻き付け部（２０）、または前記第二巻き付け部（３０）の各前記第一面は、起毛加工されている骨盤ベルト。
【手続補正７】
【補正対象書類名】実用新案登録請求の範囲
【補正対象項目名】請求項１０
【補正方法】変更
【補正の内容】
【請求項１０】
請求項１から９のいずれか一項に記載の骨盤ベルト（１）が装着された時に身体と接しない面を第一面（Ｆ１）とすると、
前記中央部（１０）と前記第一巻き付け部（２０）との第一結合部（Ｊ１）は、前記第一面に第一補強部材（４１）を有し、または、前記中央部と前記第二巻き付け部（３０）との第二結合部（Ｊ２）は、前記第一面に第二補強部材（４２）を有する骨盤ベルト。
【手続補正８】
【補正対象書類名】明細書
【補正対象項目名】００１３
【補正方法】変更
【補正の内容】
【００１３】
図３、４、６に示すように、骨盤ベルトが装着された時に身体と接する面を第二面Ｆ２、接しない面を第一面Ｆ１とする。
第一素材７１は伸縮性パイル織物である。この織物は弾性糸を用いており、少なくとも左右方向または長手方向に伸縮性ないし弾性がある。この織物の表側は一面に無数のループ状のループパイルまたはアンカットパイルを有する（第一素材７１の第一面Ｆ１）。